(57)【特許請求の範囲】
【請求項１】
消費者に別注化粧製品を提供する方法であって、
１以上の別注化粧製品を製造するための成分を提供するステップと、
選択データを受けるステップと、
前記成分及び選択データを使用して別注化粧製品処方を生成するステップと、
引き続く使用のために別注化粧製品処方に従って１回分の使用量の成分を中間層上に分配するステップと
を含む方法。
【請求項２】
さらに、
コンピューティングデバイスからの標準選択データの受信を含み、
該別注化粧製品処方を作成する際に該標準選択データが使用される、請求項１に記載の方法。
【請求項３】
さらに、
コンピュータによる判読が可能な媒体からの標準選択データの受信を含み、
該別注化粧製品処方を作成する際に該標準選択データが使用される、請求項１に記載の方法。
【請求項４】
該中間層は、
スワブ、
指、
ティッシュ、
スポンジ、
櫛、
ブラシ、及び
プレートのうちの少なくとも一つである、請求項１に記載の方法。
【請求項５】
さらに、
引き続く使用のため、消費者からの選択データを消費者の要求に応じて保存するステップをさらに含む、請求項１に記載の方法。
【発明の詳細な説明】
【０００１】
（発明の分野）
本発明は個人の仕様に合わせた美容化粧製品を消費者に提供するための方法及び装置に関する。
【０００２】
（発明の背景）
マスカラ、ファンデーション、口紅、ヘアカラー、その他の化粧製品は、美容的に外見を良くするために消費者によって長く使用されてきている。消費者にとって多種多様な選択肢の中から最適な製品を選択することは一つのジレンマとなる。その上、消費者は小売店で製品を選択する間、プライバシーのある快適な環境で選択を行うことができない。さらに、一度選択した後は、該製品が消費されるか破棄されるまで、消費者は自分の選択に拘束される。この拘束性のため、気分、社交的立場、皮膚状態、その他に対して柔軟であり得ることができない。また、消費者は、消費者自身の認識結果であれ、あるいは他人から伝えられた認識結果であれ、製品の持つ印象に不満である可能性がある。その結果、殆どの消費者は自宅に使用されていない製品が大量にずらりと並べてある。これらの使用されていない製品は使用期限切れになっていることも多いが、そのことは消費者には殆ど認識されておらず、そのため消費者にとって健康面での潜在的な危険性をもたらしている。
【０００３】
過去の個人仕様に合わせた化粧品へのアプローチは、小売店内の販売効果を重視してきた。たとえば、消費者の皮膚の色に合うように販売員がファンデーションの処方を手作業で調整する方法である。最新のアプローチでは、自動化粧品調合デバイスを小売店に提供することによってこのアイデアをさらに進めてきている。これらの最新のデバイスは小売店の販売員によって操作され、消費者は化粧製品を得、製品は容器に包装されて提供される。
前述のアプローチは個人仕様化を求める消費者のニーズに部分的に注目してはいるが、重大な欠点がいくつかある。たとえば、これらのアプローチは、購入した製品に関して、消費者がその製品の使用後に頻発する心変わりをしないという前提になっている。上記記載のいずれのアプローチにおいても、消費者側で心変わりをすれば、消費者は化粧製品を新たに一揃え再び購入する必要がある。さらに、消費者は再度小売店を訪問し、公共の場所で選択をしなければならない。これらのアプローチは不便で、費用がかかり、しかも消費者の自宅に大量の化粧品を抱え込むことになる。その上、消費者が抱え込んだ化粧品の消費期限はその製品を使い終わる前に期限切れとなることも多々あるであろう。
【０００４】
さらに、既存の販売時化粧品調合デバイスは、化粧製品で容器を満たすため、消費者は使用するに先立ってアプリケータに移す必要がある。たとえば、販売場所で別注された化粧クリームは、通常、小売店で瓶に入れて出荷される。消費者は化粧クリームを使用する際に、このクリームを消費者の手、若しくはパッドに移し、それを塗らなければならない。従来のデバイスは消費者が１回使用するために化粧クリームの１回分の使用量を中間層に適用することができないので、消費者が別注された化粧クリームを気に入らなければ、このクリームは瓶ごとまるまま使用されない。
【０００５】
（発明の概要）
従って、本発明の目的は別注化粧製品を受け取る方法、及び装置を消費者に提供することである。
更なる目的、利点及び新規性のある特徴は後続の説明に記載されており、一部は本発明を検証あるいは実施次第当該技術分野においては明白となるであろう。本発明の目的及び利点は、付属の請求項において特に指摘されている手段及び組み合わせを使用して実現し、取得可能である。前述の目的及びその他の目的を、本発明の目的に従って達成するために、消費者に別注化粧製品を提供するための方法及び装置を提供する。
消費者に別注化粧製品を提供する方法が提供され、その方法は化粧製品を製造するための成分を提供すること、及び消費者からの選択データを受けることを含む。さらに、化粧製品処方は成分と選択データを使用して作成され、引き続く使用のために別注化粧製品が分配される。
【０００６】
さらに、選択データを提供するための選択デバイス、流体を保管するためのリザーバ、選択データと流体を使用して、選択データと一致する化粧製品を製造するための流体計量デバイスからなる、別注化粧製品を製造するための装置が提供される。さらに、直後に使用するために化粧製品を中間層に付けるためのディスペンサーが提供される。
また、化粧品デバイスに成分を供給するために、このデバイスで使用するカートリッジも提供され、それぞれの色、組成を有する１以上の流体を含み、上記カートリッジは流体をすっぽりと収容するシェルを有する。さらに、カートリッジは別注化粧製品を製造するため、流体を直後の使用のために中間層に分配する開口部を有する。
最後に、別注化粧製品を化粧品デバイスから収集するために使用するアプリケータが提供され、これは化粧品デバイスで製造された化粧製品を蓄積する能力のある表面を含み、化粧品を消費者が該消費者の体に適用する際に消費者によって使用される。なお本発明のその他の観点は、本発明の実行のために熟考された各種最良の形態のうちの１形態であり、当該技術分野において代表的な実施形態の以下の図解を用いた詳細な説明から当該技術分野において明らかとなるであろう。認識されるように、本発明は、本発明から逸脱しない限り、他の異なった明白な観点をも含み得る。従って、図面並びに説明はその性質上解説のためのものあり、制限的なものではない。
【０００７】
（詳細な説明）
本発明の代表的な実施形態は、当該技術分野において周知の標準的な機械式ポンプ、混合デバイス、ヒーター、ディスペンサー、マイクロプロセッサー及び化粧成分を使用して実施し、本発明に従って容易に組み合わせ可能である。
図１は別注化粧製品を提供する方法のフローダイアグラムである。最初に、主成分が充填されるか、若しくはステップ１０に提供される。主成分は好ましくは、ワックス、パウダー、液体、その他の流体である。好ましくは、少なくとも２つのベース流体が提供され、各流体はそれぞれの濃度と色を有する。
次に、消費者が所望の色及び製品の選択をステップ２０に入力する。好ましくは、製品選択は所望の別注化粧製品の濃度を指示する。例えば、口紅の製品選択ではボディローションの製品選択よりも濃い濃度が必要であろう。消費者はこれらの選択データをカラースライドセレクター、キーボード、マウス、コンピューティングデバイス（ステップ８０）、デジタルフォン、デジタルカメラ、デジタルビデオレコーダ、その他などの各種の方法で入力する。消費者によるこれらの選択は、ステップ４０にあるようにコンピュータにより判読が可能な媒体から検索してもよいし、又はこれらの選択は以前に行った選択から保存し、ステップ５０にあるようにコンピュータにより判読が可能な媒体に保存してもよい。
【０００８】
消費者が自分用の別注化粧製品の選択を決定すると、主成分の比率が判明する。化粧製品の特定タイプ（製品選択）を創り出すために必要な既知主成分の比率の計算は、当該技術分野において周知であり、容易に確認できる。その上、消費者が自分のカラーを一度選択してしまえば、化粧製品の該当する色合いを創り出すことはたやすいことである。妥当な成分比率はステップ３０で計算する。次にステップ６０で所望の化粧製品を形作るために成分が組み合わされる。消費者用の化粧製品をつくる前に、ステップ９０において色の選択肢を消費者に表示してもよい。色合いの表示は、好ましくはタッチメンブレンなどのカラーセレクターで実現すると、本発明の化粧デバイスの開発に伴なう費用が削減される。当該技術分野においては認識されるであろうが、色の選択の表示は、モニター、テレビ、デジタルカメラ、デジタルビデオレコーダー、コンピューティングデバイス、その他の各種装置を使用してもよい。
【０００９】
好ましくは、ステップ３０からステップ９０までは、消費者とのインターフェイス及び成分計算の実行が簡単に行える、マイクロプロセッサ環境１２０で行う。マイクロプロセッサ環境１２０はソフトウェア及びハードウェアを使用可能状態にし、当該技術分野にとってステップ３０からステップ９０までの実行を簡単に確認可能にする。
ステップ１００では、別注化粧製品は中間層に分配される。中間層は、消費者の体の所望の部分に適用する直前に別注化粧製品が表面を包含する。中間層には、スワブ、ティッシュ、スポンジ、ブラシ、指、アプリケーター、櫛、プレート、及びその他を包含する。例えば、化粧クリームなどの別注化粧製品はステップ１００において、消費者の指（中間層）に分配されてもよい。クリームは次に消費者の顔（望ましい体の部分）に塗布される。しかしながら、中間層がプレートの場合は、製品を適用する前に、引き続き中間層が必要とされる。例えば、プレート（中間層）に分配された別注化粧製品は、指で収集し、その後消費者の体の任意の部分に塗布してもよい。
【００１０】
最後に、ステップ１１０において、消費者は分配された別注化粧製品を適用する。消費者が、製品の色の選択が消費者にとって不都合であると後から判断した場合は、新しい選択データを提供し、新たに別注化粧製品を製造してもよい。このようにして、消費者は多種多様な別注化粧製品を別注、効率的に使用することができる。その上、これらの選択は私的な環境で行われるため、プロセス全体にわたり、消費者にプライバシーと快適さを提供する。
図２Ａは本発明の装置の概略図である。図２Ａの装置は、別注化粧品分配デバイス１３０を描写する、１つの代表的実施形態である。デバイス１３０はカートリッジ２２０、ビデオポート２１０、コミュニケーションポート２００、スライドセレクター１５０、カラーパレット１４０、ディスペンサー１９０及び表面部１６０を包含する。
【００１１】
デバイス１３０は、好ましくは１以上のカートリッジ２２０を収容し、そこに流体（成分）が留まり、この流体が消費者が決定した分量に組み合わされたとき、別注化粧製品１８０がデバイス１３０の表面部１６０、あるいは中間層１７０上で製造される。各カートリッジ２２０はそれぞれ１以上の流体を収容する。しかしながら、認識されるであろうが、デバイス１３０に包含される（図２Ａには表示されていない）リザーバに簡単に流体を追加可能であるため、流体を収容するカートリッジ２２０は、全く必要ない。
前述の図１の説明にあるように、成分は好ましくは、口紅、アイライナー、ローション、パウダー、マスカラ、その他の多様な化粧製品を製造するために必要な、各種の色及び濃度を含むワックス類である。消費者は、別注化粧製品１８０を製造するために必要な、所要流体分量を決定付ける選択データを提供する。これらの選択データは色、及び口紅、アイライナー、ローション、パウダー、マスカラ、その他などの製品選択を包含する。
【００１２】
消費者は、カラーパレット１４０、スライドセレクター１５０、ビデオポート２１０、及び通信ポート２００などの、デバイス１３０に付属している、あるいはデバイス１３０とインターフェイスをとった１以上の選択手段を経由してこれらの選択データを提供する。ビデオポート２１０により、デバイス１３０は、ビデオ、デジタルカメラ、テレビ、その他のデバイスから消費者選択データを受信することができる。通信ポート２００により、デバイス１３０は消費者選択データをデジタルフォン、コンピュータ、携帯型コンピューティングデバイス、無線通信デバイス、その他などのデバイスから消費者選択データを受信することができる。さらに通信ポート２００はデバイス１３０との物理的な接続を必要とせず、むしろ、このポートは無線あるいは赤外線ポートとしてもよい。また、通信ポート２００は、色、水分、油分、材質、皮膚の敏感性、その他を測定するセンサーに接続することもできる。これらの測定値により、事前選択済みのアルゴリズムが消費者にとって最適な選択データを決定できる。
【００１３】
さらに、（図示されていない）単線ＬＣＤによって、製品及び色の選択肢を表す数値として、消費者が選択データの入力を行えるようにしてもよい。その上、通信ポート２００及びビデオポート２１０は、デバイス１３０が消費者から提供された色の選択を消費者に表示するために使用してもよい。消費者はこれらの選択をカラーパレットを使用して行うこともできる。
前述の説明のように、消費者はさまざまな方法でデバイス１３０に選択データを提供してもよい。実際には、プリパッケージ選択データを自動電話システム、あるいは消費者が既存の市販製品を生成するために必要な選択データを表す数値コードを検索可能な、インターネットウェブサイトを経由して消費者に利用可能にしてもよい。このようにして、消費者は必要時に有名ブランドの製品を象徴する化粧製品を製造してもよい。さらには、これらのプリパッケージ選択肢は有名ブランドの製品の広告資料にて提供してもよい。
【００１４】
一度、消費者が自分の色及び製品を選択すると、デバイス１３０は別注化粧製品１８０を製造するために必要な、適切な流体量を計算する。流体は次に、必要に応じて混合、若しくは加熱されてカートリッジ２２０から分配され、デバイス１３０から排出可能になり、ディスペンサー１９０を通して中間層１７０若しくはデバイス１３０に付属している表面部１６０に堆積される。ディスペンサー１９０は好ましくは、圧力噴霧、ツイン流体噴霧、静電噴霧、機械式スクリュー押出し、圧電噴霧、スパッタリングテクノロジー、その他の、制御された分配テクノロジーを使用する。堆積した別注化粧製品１８０は、スプレイ、塊、若しくはコーティングなどの多様な形態でデバイス１３０から出してもよい。
図２Ｂは本発明の代替装置の概要図である。図２Ｂにおいては、化粧品デバイス２９５が描写されているが、デバイス２９５は横型で、表面部３００から分離されている。このようなデバイス２９５は消費者の家の壁に簡単に取りつけられ、消費者の家屋内の使用可能なカウンタースペースをより効率よく使用できるであろう。
【００１５】
図２Ａのデバイスと同様、流体を収容するカートリッジ２９０が備えられ、別注化粧製品３２０はデバイス２９５からディスペンサー３１０を通して排出される。さらには、別注化粧製品３２０は、口紅アプリケーターなどの中間層３３０に直接排出することができる。図２Ｂには示されていないが、消費者の入力選択手段は、図２Ａに説明した多様な方法で提供してもよい。さらに、消費者選択データは別注化粧製品３２０を排出する前に消費者に表示してもよい。
図２Ｃは、本発明の装置の内部概要図を示す。内部概要図は、別注化粧製品デバイス２２５の計量デバイス及びディスペンサー２８５をさらに詳細に示す。この計量デバイスは、流体をさまざまな分量で組み合わせて別注化粧製品２５５を表面部２４５に製造する方法を図解している。図２Ｃは、流体がディスペンサー２８５をとおしてデバイス２２５から排出される方法を図解している。化粧品デバイス２２５はマイクロプロセッサ２３０、データバス２４０、カートリッジ２３５、配管システム２７０、ミキサー２６０、ヒーター２５０、イジェクター２８０、及びディスペンサー２８５を包含する。
【００１６】
選択データがデバイス２２５内のマイクロプロセッサ２３０によって受信された後、信号がデータバス２４０を経由してカートリッジ２３５に送信される。信号はカートリッジ２３５を駆動し、マイクロプロセッサ２３０に入力された選択データによって決定される該当量の流体を放出する。マイクロプロセッサ２３０は、カートリッジ２３５に内蔵される流体の適切な分量を選択する処方を作成するための当業界では周知の、計算式を使用する。流体は、色の別注を可能にする、シアン、マジェンダ、黄色、その他の染料を含有する。さらに、流体は、ワックス、日焼け止め剤、加湿剤、香料、しわ及び老化防止剤、その他も含有する。
該当量の流体がカートリッジ２３５に放出されると、これらはカートリッジ２３５からディスペンサー２８５への移動を可能にする配管システム２７０の中を通って押出される。好ましくは、流体の移動は自重によって達成するが、移動はスクリュー押出成形機などの機械式手段を用いて成し遂げてもよい。
【００１７】
カートリッジ２３５から放出後、流体はミキサー２６０を使用して混合してもよく、あるいはヒーター２５０を使用して加熱してもよい。好ましくは、混合は、（ドイツ、マインツの）インスティチュートオブマイクロテクニック（InstituteofMicrotechnik）から取得可能な静止型マイクロミキサーを使用することによって行う。ヒーター２５０は流体がワックス状成分を含有する場合に流体の流動性を高める。さらには、ミキサー２６０はイジェクター２８０に混合した流体を放出する。イジェクター２８０は、可動式であり、これによって別注化粧製品２５５をディスペンサー２８５をとおして表面部２４５に均一に分配できる。前述のように、ディスペンサー２８５は、圧力噴霧、ツイン流体噴霧、静電噴霧、機械式スクリュー押出し、圧電噴霧、スパッタリングテクノロジー、その他などの制御された分配テクノロジーの一つ、若しくはこれらを組み合わせて使用して実装してもよい。
図２Ｄは本発明の代替装置の内部概要図を示す。化粧品デバイス３３５は、マイクロプロセッサ３５０、データバス３４０、カートリッジ３６０、カートリッジから流体を移動させるための配管システム３７０、及びディスペンサー３８０を包含する。
【００１８】
図２Ｄにおいて、マイクロプロセッサ３５０は、マイクロプロセッサを駆動してデータバス３４０を経由してコマンドを発行させ、カートリッジ３６０に内蔵されている流体の特定分量を配管システム３７０に放出させるために使用する、選択データを受信する。しかしながら、図２Ｄにおいて、表面部３７５に流体が蓄積され、ディスペンサー３８０を通してデバイス３３５から排出されるまでは、デバイス３３５の流体は、別注化粧製品３８５を表面部３７５に形成するために組み合わされることはない。さらには、デバイス３３５は、マイクロプロセッサ３５０から発行されたコマンドに対応する（図示されていない）ステップモーターの動きに伴ない前後に移動するディスペンサー３８０を包含する。ディスペンサー３８０のこの動きによって、表面部３７５上の流体の配置の制御が可能となり、一例としては、紙媒体上のインクジェット印刷染料から取得された色彩知覚と同様の色彩知覚を創り出す。
【００１９】
しかも、当該技術分野によって認識されるように、流体のリザーバをこれらのデバイスに直接構築してカートリッジの必要性を予め無くしてもよいため、図２Ａ、２Ｂ、２Ｃ及び２Ｄのデバイスは、流体成分を収容するカートリッジを備える必要はない。
図３は本発明のカートリッジを示したものである。カートリッジ３９０は、外側を包み込むシェル４００、分割された流体容器４２０と４３０、並びに開口部４１０と４４０を包含して提供される。カートリッジ３９０は２種類の流体、流体Ａと流体Ｂの流体容器と共に示されている。流体Ａは容器４２０に、流体Ｂは容器４３０に停留する。さらに、流体Ａは開口部４１０を通してカートリッジ３９０から放出され、流体Ｂは開口部４４０を通して放出される。流体Ａと流体Ｂは、好ましくは各種の染料、日焼け止め剤、加湿剤、香料、しわ及び老化防止剤、その他を含むワックスに類する物質である。これらの流体は化粧品デバイスで使用され、消費者が決定した量で組み合され、この消費者用に別注化粧製品を製造する。
【００２０】
図３は、２個の流体容器を備えた本発明のカートリッジ３９０を描写しているが、当該技術分野においては単一の流体が提供されてもよいことは明白であろう。このように、複数のカートリッジを化粧品デバイスと共に使用することができ、各単一カートリッジは単一の流体を収容する。次に、複数のカートリッジそれぞれから指定量の流体を放出する化粧品デバイスによって別注化粧製品が製造される。さらにより多種類の製品が望ましい場合は、逆に、単一カートリッジに２種類以上の流体容器を内蔵してもよい。さらには、本発明のカートリッジは使い捨て、若しくは再利用可能であってもよい。再利用可能性は、流体が使い果たされたときに流体容器に流体を補充することによって達成できる。
【００２１】
図４は本発明のアプリケータ類を示す。これらのアプリケータは蓄積した別注化粧製品５１０を化粧品デバイスから分配することができる。さらには、別注化粧製品５１０は、噴霧、塊、コーティング、その他などの様々な形態で化粧品デバイスから図４のアプリケータに直接蓄積させてもよい。別の方法としては、別注化粧製品５１０が蓄積されている化粧品デバイスの表面からアプリケータで拭き取ることによって、図４のアプリケータに別注化粧製品５１０を蓄積してもよい。
例として、口紅型アプリケータ４５０、ブラシ型アプリケータ４６０、スワブ型アプリケータ４７０、スポンジ型アプリケータ４８０、ティッシュ型アプリケータ４９０、櫛型アプリケータ４９５、及び人の指のアプリケータ５００が図４に示されている。その上、これらのアプリケータは使い捨て、再利用可能である。
【００２２】
本発明の代表的実施形態の前述の説明は、例示及び説明の目的で提示してきたものである。それは、包括的であること、又は本発明を開示される明確な形態に限定することを意図したものではない。多くの代替、変造、変更は前述の教示に照らして当該技術分野において明らかであろう。例えば、本発明はファンデーション及びその他の化粧用マスキング製品、マニキュア液、口紅、マスカラ、アイシャドウ、アイライナー及びその他のためのデバイスとして実現可能である。さらには、本発明は新規の有益化学物質を製造するためにに使用ポイントでの化学物質の混合に使用することができる。それだけでなく、この装置は個人の仕様に合わせたマーケティング目的でサンプラーあるいは情報ツールとして使用してもよい。従って、本発明はこの精神と記載された請求の範囲の範疇に入る、あらゆる代替、変造、変形を包含することを意図している。
【図面の簡単な説明】
【図１】  別注化粧製品を提供する方法のフローダイアグラムを示す。
【図２Ａ】  本発明の装置の概略図を示す。
【図２Ｂ】  本発明の代替装置の概要図を示す。
【図２Ｃ】  本発明の装置の内部概要図を示す。
【図２Ｄ】  本発明の代替装置の内部概要図を示す。
【図３】  本発明のカートリッジを示す。
【図４Ａ】  本発明のアプリケータ類のひとつを示す。
【図４Ｂ】  本発明のアプリケータ類のひとつを示す。
【図４Ｃ】  本発明のアプリケータ類のひとつを示す。
【図４Ｄ】  本発明のアプリケータ類のひとつを示す。
【図４Ｅ】  本発明のアプリケータ類のひとつを示す。
【図４Ｆ】  本発明のアプリケータ類のひとつを示す。
【図４Ｇ】  本発明のアプリケータ類のひとつを示す。
【図１】
0003843017.tif 000002
【図２Ａ】
0003843017.tif 000003
【図２Ｂ】
0003843017.tif 000004
【図２Ｃ】
0003843017.tif 000005
【図２Ｄ】
0003843017.tif 000006
【図３】
0003843017.tif 000007
【図４Ａ】
0003843017.tif 000008
【図４Ｂ】
0003843017.tif 000009
【図４Ｃ】
0003843017.tif 000010
【図４Ｄ】
0003843017.tif 000011
【図４Ｅ】
0003843017.tif 000012
【図４Ｆ】
0003843017.tif 000013
【図４Ｇ】
0003843017.tif 000014